(57)【特許請求の範囲】
【請求項１】
アクセスの試みにより、移動端末が基地局との通信を開始する方法であって、当該アクセスの試みは無線通信ネットワークの範疇でなされ；
該基地局により状態表示チャネル（ＣＳＩＣＨ）上で放送されるチャネル状態メッセージを監視することにより少なくとも一つの使用可能なアップリンクチャネルを見い出し（２００）、
該基地局が当該移動端末を他の移動端末と混同しないように衝突検出情報を含んだ少なくとも一つの同定信号を該基地局に送信し（２０２）、
該基地局からチャネルアロケーションおよび衝突応答信号を受信し（２０４）、
もし、アロケートされた共通パケットチャネルが状態表示チャネル（ＣＳＩＣＨ）上のチャネル状態メッセージ放送によって使用可能と表示され、かつ衝突応答信号と衝突検知情報が一致した署名を表示した場合、アロケートされた共通パケットチャネル上で基地局へ通信データを送信することを始め（２１２）、そして
もし、チャネルアロケーションが、状態表示チャネル（ＣＳＩＣＨ）上のチャネル状態メッセージ放送により以前使用可能と表示されたことがあるチャネルをアロケートしなかった場合、アクセスの試みを中止する（２１０）
各ステップからなる、移動端末が基地局との通信を開始する方法。
【請求項２】
無線通信ネットワークにおいて基地トランシーバー局（１１４）との通信開始可能な移動端末（１０２）であって、
使用者入力および放送状態信号（３１４）に反応し、基地局トランシーバー（１１４）に従い使用可能な少なくとも一つの共通パケットチャネルを表示する空きチャネル情報信号（３１６）を提供するためのチャネル状態リーダー（３１０）、
空きチャネル情報信号（３１６）に反応し、少なくとも一つの共通パケットチャネルから選択された少なくとも一つの選択された共通パケットチャネルを表示するアクセス前文信号（３３５）を提供するためのチャネルリクエスター（３１９）
空きチャネル情報信号（３１６）に反応し、またトランシーバー局（１１４）によりアロケートされた少なくとも一つのチャネルを表示するチャネルアロケーション信号（３２０）に反応し、アロケートされたチャネルがチャネル状態リーダー（３１０）により使用可能と以前に表示されたかどうかを示すベリフィケーション信号（３２２）を提供するためのチャネルアロケーションベリファイア（３１８）と、
ベリフィケーション信号（３２２）に反応し、特定の共通パケットチャネル経由で通信される後続のデータを有する出力制御前文情報を含んだデータ信号（３２６）を提供するためのデータパケットエミッタ（３２４）と、
アクセス前文信号（３３５）およびその中に送信情報を含むデータ信号（３２６）に反応してそれらの信号を送信し、放送状態信号（３１４）およびチャネルアロケーション信号（３２０）を、その内部に含む情報を受信した後提供するための送受信装置（３０８）と
からなる移動端末。
【請求項３】
請求項２に記載の移動端末であって、送受信装置（３０８）が、広帯域符号分割多重アクセスを利用する無線通信ネットワーク（１０４）の中で、基地トランシーバー局（１１４）との情報の送信および受信のためのものである移動端末。
【請求項４】
請求項２に記載の移動端末であって、チャネルアロケーションベリファイア（３１８）が、もしアロケートされたチャネルが以前使用可能と表示されなかったものである場合、試みたアクセスを中止することを表示するアロケーション欠陥信号（３２８）を提供するためのものでもあることを特徴とする移動端末。
【請求項５】
請求項２に記載の移動端末であって、チャネルアロケーションベリファイア（３１８）が、もしアロケートされたチャネルが以前使用可能と表示されたものであるがアロケートされたチャネルがアクセス前文信号で表示されたデータ速度と異なるデータ速度能力を有している場合、試みたアクセスを中止することを表示するアロケーション欠陥信号（３２８）を提供するためのものでもあることを特徴とする移動端末。
【請求項６】
請求項２に記載の移動端末であって、アクセス前文信号（３３５）がコードおよびタイミングに周波数変換または拡散を利用し、出力レベルを増加させつつ送信されることを特徴とする移動端末。
【請求項７】
請求項２に記載の移動端末であって、特定の共通パケットチャネルがアロケートされたチャネルであることを特徴とする移動端末。
【請求項８】
請求項２に記載の移動端末であって、
チャネルリクエスター（３１９）は基地トランシーバー局（１１４）がアクセス前文信号（３３５）を受信したことを表示する承認信号（３４０）に反応し、次に他の移動端末と区別するための衝突前文信号（３４６）を提供するためのものであり、基地トランシーバー局（１１４）からの衝突応答に対する監視をアクティベートする衝突監視信号（３４８）を提供する；
チャネルアロケーションベリファイア（３１８）はまた衝突監視信号（３４８）および衝突応答信号（３５０）に反応し、もし衝突応答信号（３５０）が一致しない衝突検知を表示した場合、アクセスの試みは中止されることを表示する衝突検知信号（３５２）を提供する；
チャネル状態リーダー（３１０）はまた新しいアクセスの試みを開始することによる衝突検知欠陥信号（３５２）に反応する；そして
送受信装置（３０８）、またはその内部に含まれる情報を送信することによる衝突前文信号（３４６）に反応し、その内部に含まれる情報を受信した後衝突応答信号（３５０）および承認信号（３４０）を提供するためのものである
ことを特徴とする移動端末。
【請求項９】
請求項８に記載の移動端末であって、一致しない衝突検知が、衝突前文信号（３４６）により表示される署名と一致しない署名を含むものである移動端末。
【請求項１０】
請求項８に記載の移動端末であって、チャネル状態リーダー（３１０）が、アロケーション欠陥信号（３２８）または衝突検知欠陥信号（３５２）に反応し新しいアクセスの試みを開始することを特徴とする移動端末。
【請求項１１】
請求項８に記載の移動端末であって、もし衝突応答信号（３５０）がチャネルアロケーション信号（３２０）なしにチャネルアロケーションベリファイア（３１８）に提供される場合、特定の共通パケットチャネルが、少なくとも一つの選択された共通パケットチャネルに含まれるものであることを特徴とする移動端末。
【請求項１２】
請求項８に記載の移動端末であって、チャネルリクエスター（３１９）が
空きチャネル情報信号（３１６）に反応し、少なくとも一つの選択された共通パケットチャネルを示す選択チャネル信号（３３２）を提供するための空きチャネルセレクタ（３３０）；
選択チャネル信号（３３２）に反応し、基地トランシーバー局（１１４）から承認が期待されるべきであることを表示する承認監視信号（３３６）およびアクセス前文信号（３３５）を提供するためのアクセス開始モジュール（３３４）；
承認監視信号（３３６）および承認信号（３４０）に反応し承認の受信を示す承認受信信号（３４２）を提供するためのアクセス承認監視（３３８）および；
承認受信信号（３４２）に反応し衝突前文信号（３４６）および衝突監視信号（３４８）を提供するための衝突回避モジュール（３４４）
からなることを特徴とする移動端末。
【請求項１３】
無線通信ネットワーク内で基地トランシーバー局（１１４）と移動端末（１０２）が通信を開始することを可能とする基地トランシーバー局（１１４）であって、
アップリンクパケットアクセスに使用可能なチャネルの使用可能性についての情報を放送するための放送状態信号（４１４）を提供するための信号処理部（４７５）と、
エアインターフェース経由でその内部に含まれる情報を送信することにより信号処理部から提供される全信号に反応し、エアインターフェース経由でその内部に含まれる情報を受信した後信号処理部（４７５）に提供される全信号を提供するための送信および受信装置（４０８）とからなり、
信号処理部（４７５）は、以前使用可能であると表示された共通パケットチャネルにアクセスする移動装置による試みの表示を行なうアクセス前文信号（４３５）に反応してアクセス前文信号（４３５）の受信を承認する承認信号（４４０）を提供し、
信号処理部（４７５）は、異なる使用者機器による同時アクセスの試みから移動端末のアクセスの試みを区別する衝突前文信号（４４６）に反応して署名をもつ衝突応答信号（４５０）を提供し、
信号処理部（４７５）は、通信を開始するのに必要な時間より長い時間使用可能であった共通パケットチャネルへ優先的にアロケーションを与える一方、移動端末（１０２）と通信するための少なくとも一つの共通パケットチャネルをアロケートするために衝突前文信号（４４６）に反応するチャネルアロケーション信号（４２０）を提供する
ことを特徴とする基地トランシーバー局。
【請求項１４】
請求項１３に記載の基地トランシーバー局であって、チャネルアロケーション信号（４２０）が、より長い時間使用可能なチャネルが他のチャネルが割り当てられる前にパケットデータ送信のために割り当てられる様な順序でチャネルをアロケートすることを特徴とする基地トランシーバー局。
【請求項１５】
請求項１３に記載の基地トランシーバー局であって、移動端末による各アクセスは、期待されるアクセス期間を有するアクセスフェーズの間に完成され、チャネルアロケーション信号（４２０）は、最初にアロケートされるチャネルが期待されるアクセス期間より長い時間空いていたチャネルである様な順序でチャネルを割り当てることを特徴とする基地トランシーバー局。
【請求項１６】
データを移動端末（１０２）から基地トランシーバー局（１１４）に送信を開始する方法であって、
（ａ）基地トランシーバー局より状態表示チャネル（ＣＳＩＣＨ）上で放送される共有パケットチャネル状態情報を読み（５０４）、少なくとも一つの共通パケットチャネルが同定されるまで状態情報を読み続け、
（ｂ）望むデータ速度を提示するいずれかの空き共通パケットチャネルを使用し、基地トランシーバー局へアクセス前文、および少なくとも一つの共通パケットチャネルから選ばれた少なくとも一つの選ばれた共通パケットチャネルを表示するアクセス前文を提供し（５２０）、
（ｃ）獲得表示チャネルに基地トランシーバー局から移動端末に送信されるアクセス前文信号の承認を検知し（５２８）、
（ｄ）異なる使用者機器による同時アクセスの試みから移動端末のアクセスの試みを区別するため、基地トランシーバー局へ衝突前文信号を送信し（５４０）、
（ｅ）衝突前文信号に対応してネットワークからの衝突応答信号を受信し（５４６）、
（ｆ）もし、ネットワークからの衝突応答信号がアロケートされたチャネルを指すチャネルアロケーションにより伴われるか先行され、かつアロケートされたチャネルが基地トランシーバー局により状態表示チャネル（ＣＳＩＣＨ）上で以前放送された少なくとも一つの空き共通パケットチャネルと一致し、かつまた衝突応答信号が衝突前文信号の署名と一致する署名をもつとき、アロケートされたチャネル上に基地トランシーバー局へ出力制御前文およびその後データを送信する（５８０）
ステップからなる、データを移動端末（１０２）から基地トランシーバー局（１１４）に送信する方法。
【請求項１７】
請求項１６に記載の方法であって、もし基地トランシーバー局により以前放送された少なくとも一つの空き共通パケットチャネルと一致するチャネルを指さないチャネルアロケーションによりネットワークからの衝突応答が実行された場合、該ステップが繰り返されることを特徴とするデータを移動端末（１０２）から基地トランシーバー局（１１４）に送信する方法。
【請求項１８】
請求項１６に記載の方法であって、もしネットワークからの衝突応答が、衝突前文信号の署名と異なる署名を持つ場合、該ステップが繰り返されることを特徴とする方法。
【請求項１９】
請求項１６に記載の方法であって、アクセス前文信号はコードおよびタイミングが周波数変換や拡散を利用し、出力レベルを増加させつつ送信することを特徴とする方法。
【請求項２０】
請求項１６に記載の方法であって、もしアロケートされたチャネルが少なくとも一つの選択された共通パケットチャネルのデータ速度と異なるデータ速度を有する場合、アクセスの試みが中止され、該ステップが繰り返されることを特徴とする方法。
【請求項２１】
請求項１６に記載の方法であって、チャネルアロケーションがパケットデータ送信のためにより長く利用可能なチャネルが、他のチャネルが割り当てられるより前に、割り当てられるような順序でチャネルをアロケートすることを特徴とする方法。
【請求項２２】
請求項１６に記載の方法であって、移動端末による各アクセスが、期待されたアクセス期間を有するアクセスフェーズの間に実行され、チャネルアロケーションは第一にアロケートされるチャネルが期待されるアクセス期間より長い空き時間を有するチャネルであるような順序でチャネルを割り当てることを特徴とする方法。
【請求項２３】
データを移動端末（１０２）から基地トランシーバー局（１１４）に送信を開始する装置であって、
（ａ）基地トランシーバー局より状態表示チャネル（ＣＳＩＣＨ）上で放送される共有パケットチャネル状態情報を読み（５０４）、少なくとも一つの共通パケットチャネルが同定されるまで状態情報を読み続ける手段と、
（ｂ）望むデータ速度を提示するいずれかの空き共通パケットチャネルを使用し、基地トランシーバー局へアクセス前文、および少なくとも一つの共通パケットチャネルから選ばれた少なくとも一つの選ばれた共通パケットチャネルを表示するアクセス前文を提供する手段（５２０）と、
（ｃ）獲得表示チャネルに基地トランシーバー局から移動端末に送信されるアクセス前文信号の承認を検知する手段（５２８）と、
（ｄ）異なる使用者機器による同時アクセスの試みから移動端末のアクセスの試みを区別するため、基地トランシーバー局へ衝突前文信号を送信する手段（５４０）と、
（ｅ）衝突前文信号に対応してネットワークからの衝突応答信号を受信する手段（５４６）と、
（ｆ）もし、ネットワークからの衝突応答信号がアロケートされたチャネルを指すチャネルアロケーションにより伴われるか先行され、かつアロケートされたチャネルが基地トランシーバー局により状態表示チャネル（ＣＳＩＣＨ）上で以前放送された少なくとも一つの空き共通パケットチャネルと一致し、かつまた衝突応答信号が衝突前文信号の署名と一致する署名をもつとき、アロケートされたチャネル上に基地トランシーバー局へ出力制御前文およびその後データを送信する手段（５８０）と、
からなる、データを移動端末（１０２）から基地トランシーバー局（１１４）に送信する装置。
【発明の詳細な説明】
【０００１】
［発明の技術分野］
移動電話システム内における使用者機器（user equipment；ＵＥ）から無線ネットワークサブシステムへのデータ通信のための方法および装置、特に、汎用移動電話システム（universal mobile telephone system；ＵＭＴＳ）内でデータ通信に使用される共通パケットチャネル（common packet channel；ＣＰＣＨ）を選択するための方法および装置に関する。
【０００２】
［背景技術］
アップリンクにおけるパケットデータ通信を有する移動電話システムにおける主要な問題の一つは、ある与えられた時点で使用者間のリソース要求が変化するとき、異なる使用者へ接続リソースを分割する方法である。
【０００３】
現在のシステムでは、個々の使用者に一定量の容量と基地局のハードウエア資源が、回路交換（circuit-switched）呼び出しの間、通信容量が必要な期間だけ予約されている。しかしながら、送信されるデータが本来集中的な性質を有するので、このようなやり方でパケットデータの回路交換送信を使用しているとき、単一使用者に可能な最大瞬間データ送信要求に基づいて常時接続を維持するのは、無線容量や物理的ハードウエア資源の浪費である。かくして、パケットデータのパケット交換通信が望ましいが、接続をデータ送信間で完全に切断させることは、送信されるデータが存在するごとにランダムアクセスチャネル（Radom Access Channel；ＲＡＣＨ）を経由した多くのシグナリングを有する非常に長いプロセスを余儀なくさせる。
【０００４】
コード分割多元アクセス（code division multiple access；ＣＤＭＡ）法に基づくシステムでは、異なる使用者は異なるアップリンク周波数変換コードを用いる。ＣＤＭＡシステムでの通信開始時における重大な関心事は、ＲＡＣＨを経由した数多くのシグナリングなしにアクセスを速く行うことをどうやって確保するかにある。また、より長いパケットでの重大関心事は、無線ネットワークサブシステムまたは基地局に近い使用者機器が、遠くにある異なった使用者機器に比べて不必要に高い出力の信号を交換しないことを確保するために、ＣＤＭＡ技術において使用される非直交コードに典型的な遠近問題を避ける様どのように出力制御を考慮するかにある。
【０００５】
現在のタイプのシステムでは、アップリンクサービスはパケットに基づいていないか、さもなくば回路交換接続で実行されている。またショートメッセージサービス（ＳＭＳ）のようなサービスの幾つかでは、データ量が非常に小さい。将来のシステムではアプリケーションがデータベースから電子メールやインターネット閲覧や他の別のＴＣＰ／ＩＰ通信にまでの広い範囲を有することが期待され、従って現在のタイプのシステムは適用できない。
【０００６】
ダウンリンクにおいては、出力制御問題は前記のように厳しいものではなく、今あるＩＳ−９５ＡのようなＣＤＭＡシステムではダウンリンク出力制御は全く備えられていない。ダウンリンクの方向でより強調されるべきは、たとえば広帯域ＣＤＭＡシステム（すなわちＷＣＤＭＡ、またＵＭＴＳとして知られる）においてダウンリンク共有チャネルで行なわれているように、物理的リソースを有効に共有することにある。
【０００７】
ＵＭＴＳシステムではアップリンク共通パケットチャネル（アップリンクＣＰＣＨ）の考え方がアップリンクアクセス問題の解決のため提案されている。ＣＰＣＨはデータ送信にも著しい利点を持っている。しかしながらアップリンクＣＰＣＨは信頼性問題に苦慮している。アップリンクＣＰＣＨを使用すると、提案されているチャネルアロケーション手続きは、２人以上の使用者機器に彼らのデータを同一のＣＰＣＨチャネルに送信するよう導き、過度の干渉を引き起こしてしまうかもしれない。ＣＰＣＨチャネルへのアクセスは時間を要し、第１ＵＥに選択されたチャネルは第１ＵＥがアクセス工程を完了しないうちに第２ＵＥに予約されてしまうかもしれない。言い換えると、使用者チャネル選択（user channel selection；ＵＣＳ）はフリーチャネルの記述に従って、無線放送チャネル（broadcast channel；ＢＣＨ）上でＵＥに送信されたフリーなＣＰＣＨチャネルを選択しアクセスすることによって進行する。しかしアクセス方法およびＢＣＨ送信における遅れのため、ＵＥがすでに予約されたチャネルへアクセスすることがあるかも知れない。
【０００８】
アップリンクアクセス問題に対する別の試みられた解決策としては多目的チャネル割当（versatile channel assignment；ＶＣＡＭ）を使用することであった。ここではアクセス前文が交換された後チャネルは獲得表示チャネル（acquisition indication channel；ＡＩＣＨ）の手段で割り当てられる。この関連する技術の問題点は、ＡＩＣＨが典型的に１パーセント程度の誤り率を有することである。しかしながらＶＣＡＭは信頼性あるシグナリングを要求し、そのためＡＩＣＨの高い誤り率はしばしば２つのＵＥが同じＣＰＣＨへ送信することを引き起こすであろう。その結果、２つのＵＥが単一出力制御の流れに従い、しばしば受信機で深刻なノイズレベルが起こる。
【０００９】
ここで論じる基本的ＣＰＣＨ構造は一般に使用可能な第三世代協調プロジェクト（3rd Generation Partnership Project：３ＧＰＰ）仕様に基づいている。３Ｇ  ＴＳ  ２５．２１１「物理的チャネルと物理的チャネル上への送信チャネルのマッピング（ＦＤＤ）」（３．１．１版  １９９９年１２月）は、ＵＭＴＳ地上無線波アクセス（ＵＴＲＡ）の周波数分割双方向（ＦＤＤ）モードにおける送信チャネルと物理的チャネルの特性を記述している。３Ｇ  ＴＳ  ２５．２１２「多重化およびチャネル符号化（ＦＤＤ）」（３．１．１版  １９９９年１２月）は、ＵＴＲＡのＦＤＤモードにおける多重化およびチャネル符号化の特性を記述している。３Ｇ  ＴＳ  ２５．２１３「拡散および変調（ＦＤＤ）」（３．１．１版  １９９９年１２月）は、ＵＴＲＡのＦＤＤモードにおける拡散と変調を記述している。３Ｇ  ＴＳ  ２５．２１４「物理的レイヤ手続き（ＦＤＤ）」（３．１．１版  １９９９年１２月）は、ＵＴＲＡのＦＤＤモードにおける物理的レイヤの特性を特定し確立している。さらに３ＧＰＰ  ＴＳＧ  ＲＡＮ  ＷＧ１提出３ＧＰＰ  Ｒ１−００−０１７５は、基本的モニタリングチャネル構造を記述している（本資料は２０００年１月１８−２１日付けである）。
【００１０】
提出３ＧＰＰ  Ｒ１−００−０１７５は、本発明の背景を理解するために有用な例である。特に提出物の５．３．３．８節は、ＣＰＣＨ状態表示チャネル（ＣＳＩＣＨ）を記述している。同様に３Ｇ  ＴＳ  ２５．２１４は、「ＣＰＣＨアクセス手順」と題する該当する６．２節を含んでいる。この６．２節は該当する物理的レイヤパラメータのリストがあり、６．２節に記載された１８ステップのアクセス手順は上述した従来技術の問題を解決するため、本発明によって改善される。
【００１１】
［発明の開示］
ＷＣＤＭＡシステム内でのチャネル割当の信頼性を改善するための方法及び装置を開発することにより、アップリンクＣＰＣＨの信頼性問題を解決するのが本発明の目的である。本発明は、ＵＣＳやＶＣＡＭを含んだ現存する関連アクセス方法の観点を組合せ改善し、その方向でこれら関連するアクセス方法によりもたらされる問題を本質的に排除する。
【００１２】
本発明は、使用者機器から無線ネットワークサブシステム、または無線ネットワークサブシステム内の基地局へパケットデータを送信するためのチャネルの割当に関するものである。本発明の使用者機器（ＵＥ）はこの方法を実行するために適合される。
【００１３】
本方法に基づいて、無線ネットワークサブシステムは、パケットデータ送信のために使用される一つ以上の可能なアップリンクＣＰＣＨチャネルがもし空いていれば、使用者機器（ＵＥ）に対し、すでに通知しているであろう。無線ネットワークサブシステムはまた使用者機器（ＵＥ）に、個々のデータビット速度、コード、および／または可能なアップリンクＣＰＣＨチャネルに対応する他のパラメータを既に通知しているであろう。本発明の第１の目的は、ＵＥが無線ネットワークサブシステムへデータパケットを通信するためには、どのアップリンクＣＰＣＨチャネルを使用すべきか効率よく決定することにある。
【００１４】
好ましい方法の実施形態は次のようにまとめられる。ＵＥはデータを送信する必要があり、ＣＰＣＨ状態表示チャネル（ＣＳＩＣＨ）と呼ばれる特別のチャネルを通じて送信されてくるＣＰＣＨ状態放送情報を監視している。このＣＰＣＨ情報はＣＳＩＣＨを通じて基地トランシーバー局（ＢＴＳ；ノードＢとも記述する）から放送され、ＵＥに特別なデータ速度に対しどのチャネルが空いているか通知している。次にＵＥは空きチャネルから、少なくとも一つの望むデータ速度を提供する少なくとも一つのチャネルを選択する。次にＵＥは、スクランブリングおよびスプレッディングコードとタイミングを使用し、選択されたチャネルのパラメータに従って少なくとも一つのアクセス前文を送信し、アクセス手順を開始する。対応するダウンリンク獲得表示チャネル（ＡＩＣＨ）上で基地局ＢＴＳからの承認（acknowledgement）を受信した後、ＵＥは、同一物理チャネル上で同時にアクセス手順に入った異なる使用者機器による同時アクセスの試みと区別するために使用される衝突検知（collision detection）前文を送信する。ＵＥは衝突検出前文を送信後無線ネットワークサブシステムが（ＢＴＳを経由し）、使用者機器によって送信されたアクセス前文に適合している正しい衝突検出前文に応答するまで待機する。ＢＴＳは、ＣＳＩＣＨを経由し、以前空きと表示されたチャネルのうちで、どのＣＰＣＨチャネルをデータ送信のためにＵＥが使用すべきか表示するため、チャネルアロケーションメッセージにさらに応答しても良い。チャネルアロケーションメッセージは、獲得表示チャネル（ＡＩＣＨ）を使用して、ＢＴＳからＵＥへ送信される。
【００１５】
もしＢＴＳからＵＥへのチャネルアロケーションメッセージが、ＣＳＩＣＨを経由し、以前空きと表示されたチャネルからでない、一つまたは複数のチャネルのみを表示する（すなわち、どのアロケートされたチャネルも正しくない）とき、アクセスの試みが中止される。これに対し、もしＢＴＳからいかなるチャネルアロケーションメッセージも送られてこないときは、データ送信はＣＳＩＣＨを経由し空きと表示されたチャネルの一つを使って実行されているであろう。本発明のある実施形態では、無線ネットワークサブシステムは、使用者機器状態放送デコードとアクセス手順中のチャネルアロケーションフェーズ間の時間を見積もることにより、以前の状態モニタリング履歴に基づいたチャネルアロケーションメッセージ値のために使用されるべく適合される。
【００１６】
本発明の方法に従い、ＢＴＳからのチャネルアロケーションメッセージは、状態放送送信によって以前特定された空きチャネル内に含まれる有限の真値のセットを有する。言い換えると、ＵＥがアクセスを開始したときＣＳＩＣＨを経由して規定された空きチャネルの中にそのチャネルがある場合のみ、ＵＥはアロケートされたチャネルを経由してデータを送信する。ＢＴＳがチャネルアロケーションメッセージを送信し、チャネルアロケーションメッセージが以前ビジーだったチャネルを指定した場合、アクセスの試みは中止され状態モニタリングへ戻る。ＢＴＳから来るいかなるチャネルアロケーションメッセージもない場合、ＵＥは状態無線送信によって以前空きチャネルと規定されたものの一つを使用し送信を開始する。本発明はまた、いままでまとめた方法に従うパケットデータを送信するための準備を可能とする使用者機器にも関係している。
【００１７】
本発明は本質的に、状態無線送信によって前に与えられた情報に基づいて正しいチャネルアロケーションメッセージ値を制限することに基づいている。発明の方法および装置は幾つかの利点をもたらす。データ送信信頼性問題はシステム内のすべての使用者のために、二人の使用者が単一出力制御ストリームに従い、過度の干渉を生み出す確率を最小にすることにより解決される。また単独使用者にとって、チャネルアロケーションメッセージデコードの信頼性問題が解決され、これによりパケット送信の試みが成功する確率が向上する。これにより本発明は、無線容量の効率的使用を可能とする。さらに、本発明において、チャネル選択の遅れ効果は、本発明のチャネル割り当て方法を通じて最小化される。チャネル割り当てエラーは空きチャネルが割り当てられる確率を増加させる事により最小化される。発明は、それがＵＣＳへ補足として適用可能という点で、関連ＵＥチャネル選択（ＵＣＳ）技術と下位互換性がある。
【００１８】
［本発明の最適実施形態］
本発明は、３ＧＰＰ仕様に基いたＵＭＴＳ地上無線アクセス（ＵＴＲＡ）システムの中で使用でき、３ＧＰＰ仕様では、アップリンクパケットデータ通信のためのアップリンク共通パケットチャネル（ＣＰＣＨ）を使用する事が望ましい。ＵＴＲＡに関する更なる情報は上述した３ＧＰＰ技術仕様書で得られる。本発明はしかしながらＵＴＲＡに限らず、本発明の精神・範囲内でいかなる無線通信システムにおいても使用可能である。
【００１９】
本発明は、図１に例示した如く大きい無線通信システムのコンテスト（環境）の中で実施され、図１はＵＭＴＳ（ＷＣＤＭＡまたは広帯域コード分割多元アクセスと同意）に従う無線システムの構造を示している。図１に見られるようにＵＭＴＳアーキテクチュアは、使用者機器１０２（ＵＥここでは“移動装置”または“移動局”と同義である）、ＵＭＴＳ地上無線アクセスネットワーク１０４（ＵＴＲＡＮ）およびコアネットワーク１２６（ＣＮ）からなる。ＵＴＲＡＮとＵＥ間の無線インターフェースはＵｕと呼ばれ、ＵＴＲＡＮとコアネットワーク間のインターフェースはＩｕと呼ばれる。ＵＴＲＡＮは複数の無線ネットワークサブシステム１２８（ＲＮＳ）からなり、それぞれは数多くのセル１１０（Ｃ）を地域的にカバーしている。サブシステム間のインターフェースはＩｕｒと呼ばれる。各々の無線ネットワークサブシステム１２８（ＲＮＳ）は、無線ネットワーク制御装置１１２（ＲＮＣ）および少なくとも一つのノードＢ  １１４を含み、各々のノードＢは少なくとも一つのセル１１０を地域的にカバーしている（ノードＢはしばしば基地トランシーバー局（ＢＴＳ）または単に基地局と呼ばれる）。図１に見られるように、ＲＮＣ１１２とノードＢ  １１４間のインターフェースはＩｕｂと呼ばれる、Ｉｕｂは無線ではなく有線（hard-wired）である。いかなるノードＢ  １１４に対しても、唯一のＲＮＣ  １１２が存在する。ノードＢ  １１４はＵＥ１０２との無線送受信を分担する（ノードＢアンテナは典型的には、高層タワーの頂上や、好ましくはあまり目立たない位置に見られる）。ＲＮＣ１１２はＲＮＳ１２８内の各ノードＢ１１４の論理リソースをすべて制御し、また一つのセルから別のセル、あるいは同一セル内の無線チャネル間の通話の切替えを伴うハンドオーバーの決定を分担する。
【００２０】
ノードＢのサービス地域はここではセルと呼ばれる。一つのセル内に多くのＣＰＣＨが存在し得るが、ＵＥはアクセスすべき一つを選択しなければならない。
【００２１】
図２は、本方法の簡単な実施形態を示し、これに基づいて移動局は基地局との通信を開始できる。アクセスの試みは無線通信ネットワークのコンテキストの中で処理される。
【００２２】
第一ステップは、基地局から放送されているチャネル状況メッセージを監視することにより少なくとも一つの使用可能なアップリンクチャネルを見つけること（２００）である。次のステップは、基地局がこの移動端末を他の移動端末と混同しないよう、ランダムに選択された署名の形式での衝突検知情報を含んだ、少なくとも一つの認識（identification）信号を、基地局へ送信する（２０２）。次に使用者機器は、チャネルアロケーションと基地局からの衝突応答信号（collision response signal）を受信する（２０４）。衝突応答信号は基地局へ先に送ったランダムに選択された署名と比較できるような署名を表示する。もしアロケート共通パケットチャネルがチャネル状態メッセージによって使用可能と表示され、衝突応答信号が、署名が認識信号により表示されたランダム選択署名と符号していると表示された場合、基地局は、割り当てられた共通パケットチャネル上での基地局への通信データの送信を許可する（２１２）。もしチャネルアロケーションがチャネル状態メッセージにより使用可能と先に表示されたチャネルをアロケートしなかった場合、アクセスの試みは中止される（２１０）。
【００２３】
図３は、図２に示された方法を実施するよう設計された、本発明の最適実施形態に従う移動局を示す。送信および受信装置３０８は送信および受信装置３０８に入出力される種々の名前の信号と共に示してある。これらの名前がつけられた信号はＵＥ１０２およびノードＢ１１４間のアクセスフェーズに発生するシグナリングを表す。この図（depiction）は簡略に示したものであって、色々なコアネットワークとＲＮＳ配置シナリオの種類によって変化するであろうことに注意すべきである。
【００２４】
データ送信の間、ＵＥはＲＮＳにより出力制御され、それはＣＤＭＡシステムに本質的な要求である。ＵＥは典型的にはチャネルコード化してデータを送信し時間ダイバシティを得るため一つ以上の無線フレームをインターリーブして使用する。アップリンクにおける送信は分割した二重チャネル圧縮ＱＰＳＫ信号として一緒に送信される専用物理制御チャネル（Dedicated Physical Control Channel；ＤＰＣＣＨ）および専用物理データチャネル（Dedicated Physical Data Channel；ＤＰＤＣＨ）を有するＩ／Ｑマルチプレキシングとともに行なわれる。ダウンリンク方向では、ＤＰＣＣＨとＤＰＤＣＨは時間多元化（time multiplexed）される。
【００２５】
アクセス手順はＵＴＲＡ周波数分割多重化（ＦＤＤ）システムに発生するであろう。通常のランダムアクセス操作のための最初のアクセスフェーズは、例えば登録、ロケーション更新またはＣＰＣＨアクセスと一緒に、図３中の線３３５上のアクセス前文信号によって示されるような傾斜立ち上げ（ramping）手順を使用するために規定されている。ＵＥは信号強度および放送チャネルから読まれるパラメータのＵＥ計測に基づいたある出力レベルで開始する。前文をともなうアクセスは、前文送信が基地局／ＲＮＳに認識されるまで、または送信が過度の高い出力レベル、送信される過度の前文数のために停止される必要があるまで、１ｍｓのあいだ前文送信出力レベルを増加し続けさせることが期待される。
【００２６】
ＣＰＣＨ手順によれば、ＵＥは最初ランダムアクセス手順を通して、そしてＵＥ能力に関する必要なパラメータをネットワークと交換し、あるデータ速度または複数のデータ速度でＣＰＣＨチャネルにアクセスする許可を与えられる。使用者機器が送信を開始する必要が生じたとき、図３中の線３１４上の放送状態信号に示されるようにＵＥは最初にＣＳＩＣＨからＣＰＣＨチャネルの状態情報を読み込む必要がある。既に述べたように、関連技術提出書類３ＧＰ  Ｒ１−００−０１７５はＣＳＩＣＨを記述した５．３．３．８節を有する。チャネルアロケーション（すなわちチャネル割り当て）がシステム中で使用されているか否かに依存して、ＵＥは異なるアプローチをしても良い。チャネル割り当てがアクティブである場合、ＵＥは、図３中の線３２０上のチャネルアロケーション信号に示されるように、アクセス手順中チャネルアロケーションメッセージが得られることを期待している。しかし、そうでない場合、ＵＥは唯一つのＣＰＣＨチャネルにアクセスすることを考え、アクセス手順中その特別なチャネルを得るか得ないかどちらかである。両方の場合ともに、ＵＥは線３３５上のアクセス前文信号を用いてアクセス手順を開始し、このとき前文は、典型的には連続した前文間で出力を増加させつつ送信される。
【００２７】
ＵＥ１０２は各々のアクセス前文の後、アクセス前文が受信されたかどうかを表示するためにネットワークによって使用される線３４０上の認識信号を経由して、適切な認知が対応する獲得表示チャネル（ＡＩＣＨ）に到着したかどうか観察する。アクセスに使用される物理チャネルに対応するＡＩＣＨ前文の受信に対し、ＵＥは、使用者機器を区別し、アクセス手順中の衝突を避けるために、可能な前文の中からランダムに選択された線３４６上の衝突前文信号により表示される衝突検知（ＣＤ）前文を送信する。使用者機器は線３５０上の衝突応答信号により示されるように、同じＣＤ前文にネットワークが応答するのを待つ。
【００２８】
どのチャネルアロケーションも線３５０上の衝突応答信号を伴わない場合、使用者機器は線３２６上のデータ信号に表されるように、この時点で送信を開始する。送信はＤＰＣＣＨフレームのひとつである、例えば８スロット長の出力制御前文で開始するか、またはデータチャネルが、ＤＰＣＣＨおよびＤＰＤＣＨの両方の送信で直接に開始する。
【００２９】
線３２０上のチャネルアロケーション信号が線３５０上の衝突応答信号を伴なう場合（チャネルアロケーションはチャネル割り当てとして記されることもあり得ることを想起されたい）、線３２０上のチャネルアロケーション信号はＵＥにシステム中のＣＰＣＨチャネルの一つを指示する。チャネルアロケーション（ＣＡ）の基本的方法は、線３２０上のチャネルアロケーション信号に含まれるＣＡ前文に基づいて、ＣＰＣＨチャネルのいずれもが選択され、送信のために使用されることを許可する。
【００３０】
ＣＡ前文の使用は信頼性問題を有する。典型的エラー率は１％であり、１００件のアクセスの試みのうちの一つで、使用者機器が不正なチャネル上を送信開始する結果となる。この不正チャネルが既に他の使用者機器に使用されているかもしれないので、新規の使用者機器が他のＵＥのために意図された出力制御に従おうとする時、深刻な衝突となるであろう。
【００３１】
かくして本発明では、正しいＣＡ結合をＣＰＣＨ状態表示チャネル（ＣＳＩＣＨ）上で提供される情報にリンクさせることによって、ＣＡ前文エラー感度が減少する。言い換えると、線３２０上のチャネルアロケーション信号で与えられる値が、線３１４上の放送状態信号によって与えられる以前の放送値とリンクされている。もしデコードされたＣＡメッセージの妥当性を考えるときＣＳＩＣＨ情報が考慮されていれば、二人の使用者が単一コード上でアクティブにある可能性は、ＣＡ前文だけでの判断に基づくときの確率より何分の一かにまで減少する。ＵＥ１０２はＣＳＩＣＨにより傾斜立ち上げ（ramping）フェーズを開始する前（すなわち線３５５上のアクセス前文信号より前）に、ＣＡ前文から指摘されていてＣＳＩＣＨによってビジーと示されるいかなるチャネルも排除するであろう。
【００３２】
本発明の性能改善は、既にビジーなチャネル上にジャンプするためには、線３１４上の放送状態信号と線３２０上のチャネルアロケーション信号の両方が不正にデコードされる必要があるであろうと言う事実によっている。これら二つの信号にはアクセス手順中の遅れによるある時間の隔たりがあり、従ってデコードイベントはチャネル状態変化と幾分独立している。この手順を用いると、両者ともに１％のエラー率を有する例では、通常０．０１％のエラー率あるいはそれ以下に減少する。これはネットワークが許容するのに非常に容易である。
【００３３】
図３を再び参照すると、本発明の最適形態に従った装置が示されている。この移動端末１０２は無線通信ネットワークの中で基地トランシーバー局１１４と通信を開始することが可能である。移動端末は、線３１４上の放送状態信号と使用者入力に反応するチャネル状態リーダー３１０を含む。チャネル状態リーダー３１０は、使用者にネットワークとデータを通信する必要性が生じたとき動作を開始する。チャネル状態リーダー３１０は、基地局トランシーバー１１４に従って使用可能な少なくとも一つの共通パケットチャネルを示す空きチャネル情報信号を線３１６上に提供するためのものである。
【００３４】
チャネルリクエスター３１９は、線３１６上の空きチャネル情報信号に反応し、基地局トランシーバー１１４に従って使用可能な少なくとも一つの共通パケットチャネルから選択された少なくとも一つの選択共通パケットチャネルを示す強度を持ってアクセス前文信号を線３３５に提供するためのものである。チャネルアロケーションベリファイアー３１８は、線３１６上の空きチャネル情報信号および、基地トランシーバー１１４によりアロケートされた少なくとも一つのチャネルを示す強度をもった線３２０のチャネルアロケーション信号に反応する。チャネルアロケーションベリファイアー３１８は、アロケートされたチャネルが以前チャネル状態リーダー３１０により使用可能と表示されたかどうかを表示する強度を持った線３２２上の確認（verification）信号を提供するためのものである。データパケットエミッタ３２４は線３２２上の確認信号に反応し、特定の共通パケットチャネル（この特定のチャネルはアロケートされたチャネルでも良い）で通信されるデータが続く出力制御前文情報を含んだデータ信号を線３２６に提供するためのものである。上に論じたように、送信および受信装置３０８は線３３５上のアクセス前文信号および、これら２つの信号に含まれる（無線（air）インターフェースを経由した）情報を送信するため線３２６上のデータ信号に反応し、基地局１１４から無線インターフェースを経由してそれらを受信した後、線３１４上に放送状態信号および、線３２０上にチャネルアロケーション信号を提供するためのものである。この実施例において送信・受信装置３０８は、広帯域符号分割多元接続を利用する無線通信ネットワーク１０４の中で基地トランシーバー局１１４との情報を送受信するためのものである。
【００３５】
もしアロケートされたチャネルが、線３１４上の放送状況信号により使用可能と以前示されたものでなかったとき、チャネルアロケーションベリファイア３１８は、アクセスの試みが中止された旨を知らせるアロケーション欠陥信号を線３２８上に提供することもできる。もしアロケートされたチャネルが以前使用可能と示されたものであったが、アロケートされたチャネルが線３３５上のアクセス前文信号により示されたデータ速度と異なるデータ速度能力（capability）を持っていた場合、チャネルアロケーションベリファイア３１８はまた、アクセスの試みが中止された旨を知らせるアロケーション欠陥信号を線３２８上に提供することもできる。どちらの場合にもアクセスの試みは中止できる。
【００３６】
本発明の更なる最適実施例に拠れば、線３３５上のアクセス前文信号はコードやタイミングの周波数変換（scrambling）、拡散（spreading）を利用し、出力レベルを増加させつつ送信される。チャネルリクエスター３１９はまた、基地トランシーバー局１１４が線３３５上でアクセス前文信号を受信したことを示す線３４０上の承認（acknowledgment）信号に反応し、次に他の移動局から区別するためランダムに選択された検出強度を有する衝突前文信号を線３４６に提供するためのものである。チャネルリクエスター３１９はまた線３４８上に、基地トランシーバー局１１４からの衝突応答のための監視をアクティブにする衝突監視信号を提供するためのものである。チャネルアロケーションベリファイア３１８はまた、線３４８上の衝突監視信号と線３５０上の衝突応答信号とに反応し、さらにもし線３５０上の衝突応答信号が一致しない衝突検知を示した場合、すなわち線３５０上の衝突応答信号が線３４６上の衝突前文信号により指示される署名と一致していない署名を含んでいる事を意味する場合、アクセスの試みが中止されることを示す衝突検知欠陥信号を線３５２上に提供する。チャネル状態リーダー３１０はまた、新しいアクセスの試みを開始することによる線３５２上の衝突検知欠陥信号に反応する。もちろん送信および受信装置３０８は、内部に含まれた情報を送信することによる線３４６上の衝突前文信号に反応し、内部に含まれた情報を受信後、線３５０上へ衝突応答信号を、また線３４０上へ承認信号を提供する。
【００３７】
本発明の更なる最適実施例に拠れば、チャネル状態リーダー３１０は、線３２８上のアロケーション欠陥信号または線３５２上の衝突検知欠陥信号に応じて、新しいアクセスの試みを開始する。言い換えると失敗に甘んずる代わりに、本実施形態の思想は試みを少なくとも上限まで繰り返すことにある。もし線３２０のチャネルアロケーション信号なしに、線３５０の衝突応答信号がチャネルアロケーションベリファイア３１８に提供されると、データ信号３２６のために使用される特定の共通パケットチャネルは、線３３５上のアクセス前文信号により示される少なくとも一つの選択された共通パケットチャネルに含まれる。
【００３８】
ここまでのところは、チャネルリクエスター３１９の内部構造は詳述していない。しかしながら本発明の更なる最適な実施形態は、チャネルリクエスター３１９の様々な部分についての詳細を提示する。空きチャネルセレクター３３０は線３１６上の空きチャネル情報信号に反応し、線３３５上のアクセス前文信号に記述されるであろう少なくとも一つの選択された共通パケットチャネルを示す選択チャネル信号を線３３２上に提供するためのものである。アクセス開始モジュール３３４は線３３２上の選択チャネル信号に反応し、基地トランシーバー局１１４から承認が期待されるべきことを表示する線３３６上の承認監視信号だけでなく線３３５上のアクセス前文信号を提供するためのものである。アクセス承認モニター３３８は、線３３６上の承認監視信号および線３４０上の承認信号に反応し、承認の受信を表示する線３４２上の承認受信信号を提供するためのものである。またチャネルリクエスター３１９は、本実施形態では、線３４２上の承認受信信号に反応し、線３４６上の衝突前文信号と線３４８上の衝突監視信号を提供するための衝突回避モジュール３４４を含む。
【００３９】
本発明の最適形態の望ましい例において、ノードＢは解放された（すなわちアロケートできる）チャネルを直ちにはアロケートする試みをしない。と言うのはＵＥ１０２はそれにも関わらずアクセス手順の間その様なチャネル上の情報に出会うかも知れないからであり、チャネルは一時的に空いていただけかもしれないからである。最も効果的解決策は、ノードＢが、アクセス手順において期待される傾斜立上げフェーズ期間より長い時間空いていたチャネルを指示するようＣＡメッセージを使用することである。
【００４０】
図４を参照すると、本発明の最適実施形態に従う非常に簡単な基地トランシーバー局のダイアグラムが示される。信号処理部４７５と送信受信装置４０８の間に示される信号は、図３の移動局１０２においてラベル表示された信号と密接に対応している。
【００４１】
この基地トランシーバー局１１４は移動端末１０２に、無線通信ネットワーク内の基地トランシーバー局１１４との通信を開始することを許可できる。基地トランシーバー局１１４は、次のものを含む。
【００４２】
アップリンクパケットのために使用可能なチャネルの使用性についての情報を放送するため放送状況信号４１４を提供するための信号処理部４７５
無線インターフェースを経由しそこに含まれる情報を送信することにより信号処理部４７５から提供される全ての信号に反応する送信・受信装置４０８（すなわち、信号処理部から送受信装置への全ての信号は無線で送信される）
同様に、送信および受信装置４０８は、無線インターフェースを経由してそこに含まれる情報を受信した後、信号処理部４７５へ提供される全ての信号を提供するためのものである。
【００４３】
さらに、信号処理部４７５は、以前使用可能と表示された共通パケットチャネルへアクセスしようとする移動装置による試みを示す線４３５上のアクセス前文信号に反応し、信号処理部４７５は、線４３５上のアクセス前文信号の受信を承認する承認信号を線４４０上に提供するためのものである。また、本発明の最適実施形態において、信号処理部４７５は、移動端末のアクセスの試みを異なる使用者機器による同時アクセスの試みから区別する線４４６上の衝突前文信号に反応し、信号処理部４７５はまた、線４５０上に署名を示す衝突応答信号を提供するためのものである。さらに信号処理部４７５は、（上述の如く）通信を開始するのに必要であるより長い時間利用可能であった共通パケットチャネルへ優先的にアロケートする一方、移動端末１０２との通信のための少なくとも一つの共通パケットチャネルをアロケートするため、線４４６上の衝突前文信号に反応する線４２０上のチャネルアロケーション信号を提供するためのものである。同様に本実施形態においては、線４２０上のチャネルアロケーション信号が、より長い時間利用可能なチャネルが他のチャネルが割り当てられるより前にパケットデータ送信のために割り当てられるような順序でチャネルをアロケートすることが好ましい。同様に本発明の望ましい実施形態の一つでは、移動端末による各アクセスが期待されるアクセス期間を有するアクセスフェーズの間に実行され、そこで線４２０上のチャネルアロケーション信号が、最初に割り当てられるチャネルが期待されるアクセス期間より長い時間空いていたチャネルである様な順番で割り当てることが求められる。
【００４４】
ＵＥ１０２により最終的に使用される空き共通パケットチャネルは、多様なデータビット速度能力をもつことができる。最適実施例においては、実際のデータビット速度はチャネルアロケーション（ＣＡ）前文のデコードのみに基づいて決定される。この、実際の（要求される）データビット速度がデータビット速度能力（割り当てチャネルの）と異なる実施形態は、システムの負荷制御を実行するため用いられる。
【００４５】
ＵＥは、たとえ他のＵＥができなくとも本発明に従って動作することができる。言い換えると、幾つかのＵＥは本発明で記述された方法をサポートできるが、他のＵＥは、例えば純粋な使用者チャネル選択（ＵＣＳ）をサポートする。このタイプの混成（hybrid）状況において、本発明をサポートするＵＥはすべてのＣＰＣＨチャネルにアクセスできるであろう。その一方純粋ＵＣＳをサポートするＵＥはそれらのために確保されたＣＰＣＨチャネルにアクセスできるに過ぎない。どのＣＰＣＨがどのＵＥのために確保されているかについての情報は、放送チャネル（ＢＣＨ）を経由する他のセルの設定（configuration）データと共に送ることができ、ＣＰＣＨ状態表示チャネル（ＣＳＩＣＨ）を経由して送信することもできる。
【００４６】
図５を参照すると、本発明の最適実施形態に対応する方法の流れ図が示される。図示されたステップの幾つかは発明を記述する他のステップより重要である。ネットワークとのサービスネゴシエーション５００は、パケットデータのためのアップリンクＣＰＣＨチャネルにおいて、与えられたデータ速度を使用する許可を使用者に与える。典型的には、パケットデータが送信される（５０３）までのあいだ、待機（５０２）の時間が存在するであろう。そして基地トランシーバー局により放送された共通パケットチャネル状態情報を読み（５０４）、少なくとも一つの空き共通パケットチャネルが同定（５０８）されるまで状態情報を読み続けることが必要である。この実施形態の次のステップは、望むデータ速度を提供するいずれかの空き共通パケットチャネルを使用して、基地トランシーバー局へアクセス前文を提供する（５２０）ことである。アクセス前文は、少なくとも一つの空き共通パケットチャネルから選択された少なくとも一つの選択された共通パケットチャネルを示す。アクセス前文を提供することは、基地トランシーバー局によるアクセス前文の承認の検出（５２８）を導く。承認は獲得表示チャネルで基地トランシーバー局から移動端末へ送信される。次に、移動端末のアクセスの試みを他の使用者機器による同時アクセスの試みから区別するため、衝突前文信号が基地トランシーバー局へ送信される（５４０）。続いて、移動端末は衝突前文信号の返答としてネットワークから衝突応答信号を受信する（５４６）。最後に、もしネットワークからの衝突応答信号がアロケートされたチャネルへ指示するチャネルアロケーションにより伴われるか先行する場合、また、アロケートされたチャネルが、基地トランシーバー局５６０により以前放送された少なくとも一つの空き共通パケットチャネルに一致し、衝突応答信号が衝突前文信号５４８の署名に一致する署名を持つ場合、移動端末は出力制御前文と次にデータを基地トランシーバー局へ送る（５８０）。
【００４７】
もしネットワークからの衝突応答信号が、基地トランシーバー局により以前放送された空き共通パケットチャネルのどれとも一致しないチャネルへ指示されたチャネルアロケーションに伴われると、この方法のステップは単に繰り返すことができる。もしネットワークからの衝突応答信号が衝突前文信号の署名と異なる署名を持つ場合、同じことになる。
【００４８】
アクセス前文はコードやタイミングの周波数変換（scrambling）や拡散（spreading）を利用しても良く、基地トランシーバー局１１４からの応答が到達するまで出力レベルを増加させつつ送信しても良い。もしアロケートチャネルが選択された共通パケットチャネルのデータ速度のどれとも異なるデータ速度を持つとき、アクセスの試みは中止され、この場合ステップが繰り返されてもよい。
【００４９】
くり返すと、本方法の好ましい形態は、より長く使用可能であるチャネルが他のチャネルが割り当てられる前にパケットデータ送信のために割り当てられるような順番でチャネルをアロケートする。移動端末による各アクセスは、期待されたアクセス期間をもつアクセスフェーズの間実行され、チャネルアロケーションは、最初にアロケートされるチャネルが期待されたアクセス期間より長い時間空きであったチャネルであるような順序でチャネルを割り当てる。
【００５０】
発明を実行するため、望ましい手段はソフトウェアによる。そうするためには、ノードＢやまたは無線ネットワーク制御ＣＡ制御ソフトウェアのみならず、使用者機器のためのプロトコルおとび送信制御ソフトウェアに対する変更が必要である。
【００５１】
たとえ本発明が添付図に符合する参照例で上に説明されていたとしても、発明はそれに限定されるものでなく、添付されたクレームに開示された発明思想の構想内で当業者により多くの手段で変形可能である。本発明はその最適実施形態に関して図示や記述されているが、当業者は本発明の思想から逸脱することなく、前述の、および様々な他の変形、省略、付加がその形式や詳細になされることは理解するべきである。
【００５２】
本図のすべておよび付随する最適実施形態の説明的議論は考慮下の方法および装置の厳密な取り扱いを意味しない。例えば図３は、移動端末のあるブロックを示しているだけであって、明瞭さおよび適切さのため、当業者に明白な様な多くの他のブロックを省略している。それらの人は図中のブロックとその相互作用は本発明の背景内で再配列および補足できること、これらのブロックは必ずしも個々のハードウエア部品を表している訳ではなく、多様な異なる組み合わせ、並べ替えの中でハードウェアとソフトウェアの組み合わせにより実行され得ることを理解するであろう。同様にブロック間の信号は一般的な因果関係を表し、当業者に明白な様々なタイプの中間作用を除外するものではない。
【図面の簡単な説明】
【図１】  本発明で操作される通信ネットワーク環境の例を示す。
【図２】  本発明の実施形態に従うアクセス手順の簡単な流れ図を示す。
【図３】  本発明に従う移動端末を示す。
【図４】  本発明に従う基地トランシーバー局を示す。
【図５】  本発明の実施形態に従うアクセス手順の流れ図を示す。
【図１】
0003811067.tif 000002
【図２】
0003811067.tif 000003
【図３】
0003811067.tif 000004
【図４】
0003811067.tif 000005
【図５】
0003811067.tif 000006